(57)【特許請求の範囲】
【請求項１】
高さ方向の複数本の中空部を有するパネル本体に、長尺のファスニング用フレームが備えられ、建物の軸組フレームに固着される外壁パネルであって、
パネル本体は、辺縁部の屋内側に切欠部を備え、この切欠部に溝形のファスニング用フレームが該パネル本体の屋内側表面と略面一となるように配設され、
複数本の中空部は互いに所定間隔で配設され、各中空部は断面形状が扁平矩形状であって、パネル本体の厚み方向には該パネル本体の屋内側に寄せて配置され、
各中空部の屋外側内面と、切欠部の屋外側内面とが仮想同一平面上となるように配置されていることを特徴とする外壁パネル。
【請求項２】
前記パネル本体は、中空部を有する基材層と、室外側表面の意匠層とが一体に形成され、基材層と意匠層とを含めた厚さが３０ｍｍ以上であり、
前記基材層には、各中空部が、該基材層の屋内側から一定の厚み範囲内に配列されるとともに、前記厚み範囲が切欠部の大きさに対応することを特徴とする請求項１に記載の外壁パネル。
【請求項３】
前記基材層には、各中空部が、パネル本体の屋外側から厚み方向に１０ｍｍ以上後退させて配置されていることを特徴とする請求項２に記載の外壁パネル。
【発明の詳細な説明】
【技術分野】
【０００１】
本発明は、建物の外壁面を構成する外壁パネルに関する。
【背景技術】
【０００２】
建物の外壁をパネル化したものとして、長方形状に枠組みされたスチール製の補強フレームにサイディング板材等が取り付けられる外壁パネルが広く知られている。この種の外壁パネルは、板材の表面を屋外側へ露出させるようにして建物の壁面に建て込まれ、外壁を構成するようになされている。
【０００３】
従来、この種の外壁パネルでは、厚さが１５ｍｍ〜１６ｍｍ程度の基材の裏面側に鉄板等の補強材を貼り合わせて壁強度をもたせ、さらに裏面四周に接着剤やビス等を用いて鉄枠を取り付けることで、外壁の納まりを形成していた。
【０００４】
例えば、特許文献１には、無機質外壁面材と金属板とからなる外壁パネルについて記載されている。無機質外壁面材は、長尺板状の金属板が裏面に添設されており、この金属板を介して建物構造体に取り付けられる構造となっている。
【０００５】
また、図４に示すように、縦方向に複数本な平行な貫通孔６１を設けて、軽量化やコストの低減を図るようにした外壁パネル６もあり、例えば特許文献２に記載されている。この種の外壁パネル６は、押出成形によって形成されていることが多く、押出成形方向、すなわち板材の長辺方向に複数本の貫通孔６１が設けられており、同形状の貫通孔６１が一列に均等間隔で配置されている。
【特許文献１】特開２００３−３２８５２８号公報
【特許文献２】実公平６−７１４８号公報
【発明の開示】
【発明が解決しようとする課題】
【０００６】
このような従来の外壁パネルを複数枚接合した外壁面を施工する場合、パネルの全周面、または下面を除く三周面もしくは二周面にシーリング材を設けて雨水等の侵入が防止される。特に、外壁パネルは前記のように貫通孔が設けられているので、貫通孔の開口が露出した面における接合部では、水の侵入を完全に防止することが難しいとされていた。
【０００７】
また、外壁パネルの厚みを増して、金属板を添設せずにパネル強度を高めようとする場合、当然、重量も増加するので、軽量化を図るために前記特許文献２にあるように貫通孔をパネルに対して均等に配設することになる。ところが、このような貫通孔の配置とすると、貫通孔の開口した周面において、複数の貫通孔の存在によってシーリング材の付着面が小さくなってしまい、十分な止水を図れないという問題点があった。
【０００８】
さらに、外壁パネルを貫通孔と平行方向に切断して適宜の幅で使用する場合には、貫通孔の縦断面が露出することになり、このようなパネル端面にシーリング材を付着させることも付着面積が確保できず困難であった。また、このように貫通孔の露出したパネル端面に、パネル接合用のフレーム（ファスニング用フレーム）を取り付けるにあたっても、フレームの接着面積を確保することが難しく、施工性や作業性の低下を招き、十分な取付強度を確保するのは困難であった。
【０００９】
そこで本発明は、上記のような問題点にかんがみてなされたものであり、外壁パネル同士を接合する接合部において、外壁パネルとシーリング材との付着面積を確保することにより外壁の止水性を高めるのを可能にし、ファスニング用フレームの取付面も確保できるようにして外壁施工を容易に行うことのできる、十分な強度を備えた外壁パネルを提供するものである。
【課題を解決するための手段】
【００１０】
上記した目的を達成するため、本発明は、高さ方向の複数本の中空部を有するパネル本体に、長尺のファスニング用フレームが備えられ、建物の軸組フレームに固着される外壁パネルであって、パネル本体は、辺縁部の屋内側に切欠部を備え、この切欠部に溝形のファスニング用フレームが該パネル本体の屋内側表面と略面一となるように配設され、複数本の中空部は互いに所定間隔で配設され、各中空部は断面形状が扁平矩形状であって、パネル本体の厚み方向には該パネル本体の屋内側に寄せて配置され、各中空部の屋外側内面と、切欠部の屋外側内面とが仮想同一平面上となるように配置されていることを特徴とする。
【００１１】
この構成によれば、パネル本体に複数本の中空部を設けても、十分なパネル強度をもたせることができ、かつ、容易にシーリング材の付着面やファスニング用フレームの取付面を確保することができる。
【００１２】
また、本発明において、より具体的には、前記パネル本体は、中空部を有する基材層と、室外側表面の意匠層とが一体に形成され、基材層と意匠層とを含めた厚さが３０ｍｍ以上であり、前記基材層には、各中空部が、該基材層の屋内側から一定の厚み範囲内に配列されるとともに、前記厚み範囲が切欠部の大きさに対応することを特徴とする。
【００１３】
この構成によれば、外壁パネルとシーリング材との付着面積を確保することができるので外壁の止水性が高められ、ファスニング用フレームの取付面も確保することができ、施工性も高められる。
【００１４】
また、本発明において、前記基材層には、各中空部が、パネル本体の屋外側から厚み方向に１０ｍｍ以上後退させて配置されていることを特徴とする。
【００１５】
この構成によれば、隣接する外壁パネル同士の間に形成される目地部において、シーリング材の付着面積を一定に確保することができる。
【発明の効果】
【００１６】
上述のように構成される本発明の外壁パネルによれば、外壁としての十分な強度を備えつつ、外壁パネル同士を接合する接合部において、外壁パネルとシーリング材との付着面積を容易に確保することができるので、接合部に十分な止水性をもたせて、外壁性能を安定的に確保することが可能となる。また、外壁パネルを適宜の幅で切断した場合にも、ファスニング用フレームの取付面を確保しやすいので、外壁施工を容易に行うことができ施工性が高められる。
【発明を実施するための最良の形態】
【００１７】
以下、本発明に係る外壁パネルを実施するための最良の形態について、図面を参照しつつ説明する。
【００１８】
図１および図２は本発明の外壁パネルの一例を示し、図１は外壁パネルの一部を拡大して示す断面図、図２は施工例を示す断面図である。また、図３は図２との比較例として従来の外壁パネルを示す断面図である。
【００１９】
なお、各図においては図面を見やすくするために、外壁パネルや軸組フレーム等の構成部材には断面を示すハッチングを省略して記載している。
【００２０】
例示の形態に係る外壁パネル１は、押出セメント板等で形成された板体であり、パネル本体１０の屋外側表面には意匠層１１が設けられて、例えば縦方向および横方向にそれぞれ設けられた複数本の縦溝１１ａと横溝等によって、外壁面に現す意匠模様が形成されている。この意匠層１１の内側（屋内側）には、意匠層１１よりも厚みを有して強度を担保するための基材層１２が形成されている。
【００２１】
外壁パネル１は、パネル本体１０の屋内側に、枠体である軸組フレーム２が配設される。例示の形態では、軸組フレーム２は、リップ溝形鋼（Ｃ形鋼）からなり、パネル本体１０の四周に枠組みされている。これにより、軸組フレーム２は建物の軸組を兼ねるように構成されている。このような軸組フレーム２とパネル本体１０とは、パネル本体１０の四周に取り付けられた長尺のファスニング用フレーム３を介して固定具４により固着されている。
【００２２】
パネル本体１０の基材層１２の屋内側には、図示するような溝形のファスニング用フレーム３を配設して固定するための切欠部１２１が、対向する辺縁部に沿って設けられている。切欠部１２１は、パネル本体１０の四周の辺縁部、すなわち幅方向の両辺縁部と、上下方向の両辺縁部にそれぞれ形成されている。
【００２３】
図１においては、パネル本体１０の幅方向の一辺縁部に設けられた切欠部１２１を示している。図示するように、切欠部１２１とファスニング用フレーム３との断面形状および大きさは互いに対応させて構成されている。
【００２４】
例示の場合、ファスニング用フレーム３は厚さ方向に約１６ｍｍの大きさで形成されている。これに対応して、外壁パネル１の基材層１２の切欠部１２１も約１６ｍｍの切欠厚で形成されている。ファスニング用フレーム３は、このように設けられた切欠部１２１に、基材層１２の屋内側表面に対して略面一となるように、接着剤およびビスを用いて配設されて、その溝部が外方へ向いて開放されるように取り付けられている。
【００２５】
また、外壁パネル１は、かかる基材層１２と、屋外側の意匠層１１とを含めた厚さが３０ｍｍ以上となるように形成されている。基材層１２は、切欠部１２１が設けられた屋内側と、意匠層１１との間でパネル強度を担保しうるための厚みを設け、例えば２８ｍｍの厚さが確保されている。また、意匠層１１は平均して５ｍｍの厚さで形成されており、外壁パネル１は、全体として３３ｍｍの厚みを有して形成されている。
【００２６】
ここで、従来、この種の多くの外壁パネルは、その厚さが１５ｍｍ程度であり、強度を補うために鉄板等の補強材が背面に添設されていた。これに比較して、本発明の外壁パネル１は３３ｍｍの厚さを有していることにより、補強材を添設する必要がなく、十分な強度を備えたものとなっている。すなわち、外壁パネル１の基材層１２において、外壁面に要求される曲げ強度、耐衝撃強度、耐風圧強度、ならびに防火性能を満足できるようになっている。
【００２７】
パネル本体１０は、基材層１２に、複数本の長辺方向（高さ方向）の中空部１２２が幅方向に所定間隔で配設されている。そして、厚み方向には、これらの中空部１２２が、成形上可能な限りパネル本体１０の屋内側に寄せて配置されている。
【００２８】
具体的に示すと、中空部１２２は、それぞれ断面形状が厚み方向に扁平した略矩形状に形成されており、切欠部１２１の断面形状に対して、その厚さ内に納まる大きさで形成されている。また、中空部１２２は、このような形状とした上で、図示するように切欠部１２１の屋外側内面１２１ａと中空部１２２の屋外側内面１２２ａとが、ほぼ同一な仮想平面Ｍ上に位置するように配置されている。
【００２９】
すなわち、基材層１２の切欠部１２１が、屋内側から厚み方向に約１５ｍｍの大きさで形成されているのに対して、中空部１２２は基材層１２の屋内側から厚み方向に１５ｍｍ以内の範囲に配列されている。逆に、パネル本体１０の屋外側からは、厚み方向に１０ｍｍ以上後退させて中空部１２２が配列されている。
【００３０】
これにより、パネル本体１０は、基材層１２が、中空部１２２のない屋外側においては中実に形成されることになる。したがって、パネル本体１０の中空部１２２が露出する小口面においても、基材層１２の中実面において十分な面積で確保できるので、その強度だけでなく、パネル同士を接合させたときにシーリング材を付着させる付着面を確保することが可能となる。さらに、言うまでもないが、このような中空部１２２を基材層１２に設けることにより、パネルの軽量化を図るとともに外壁面の遮熱効果をもたせることが可能となっている。
【００３１】
かかる外壁パネル１によれば、外壁面の施工にあたって、中空部１２２の存在を考慮することなくパネル本体１０を施工寸法に切断しても、隣接する外壁パネル１同士の間に形成される目地部１０ａには、シーリング材の付着面積を一定に確保することができる。例えば、この目地部１０ａには、適宜のシールジョイント部材が嵌め込まれて、接合部の止水性が確保され、雨水等の侵入を防止することができる。また、このとき、切断端面の処理をする必要がなく、施工性もよい。
【００３２】
また、このような外壁パネル１を、中空部１２２の縦断面が露出するような適宜の幅で切断して用いる場合について説明すると、切欠部１２１の屋外側内面１２１ａと中空部１２２の屋外側内面１２２ａとが、ほぼ同一な仮想平面Ｍ上に位置するように配置されているので、図２に示すように幅方向の切断端部において、中空部１２２の屋外側内面１２２ａをファスニング用フレーム３の取付面として利用することが可能となる。
【００３３】
ここで、図３に示す例と比較すると明らかなように、外壁パネル５に、中空部５１がファスニング用フレーム３の厚みよりも屋外側に配置されている場合には、ファスニング用フレーム３の取付面を確保することができない。これに対し、本発明の外壁パネル１の構成では、ファスニング用フレーム３の取付面を容易に得ることができ、外壁性能を安定的に確保しつつ、施工性に富むものとすることができる。
【００３４】
なお、図１に示す外壁パネル１において、パネル同士を接合している固定具４は、二枚の押え板４１，４２が回動自在にビス止めされる構造のものを例示しているがこれに限定されるものではない。この場合、固定具４の押え板４１，４２には、これを貫通してビスが固定されている。これらの押え板４１，４２は軸組フレーム２の軸線に沿う位置から、この軸線に直交する位置まで約９０度の角度範囲を回動するようになっている。そして、押え板４１，４２を軸線に直交する位置に回動させることにより、軸組フレーム２に沿って外壁パネル１の切欠部１２１に配置されたファスニング用フレーム３内に、押え板４１，４２の先端部が差込まれる構成である。
【００３５】
また、押え板４１，４２の先端部は、ファスニング用フレーム３の溝縁を押圧する方向へ湾曲形成されている。これにより、ビスを締付けるとファスニング用フレーム３の溝縁をこの押え板４１，４２の先端部が押圧固定し、外壁パネル１は軸組フレーム２に取り付けられるように構成されている。
【００３６】
なお、本発明において外壁パネル１に形成される中空部は、例示した形態のみに限定されるものではなく、パネル本体１０の屋内側に寄せて配置され、また、断面形状が扁平矩形状であって切欠部１２１の断面形状に対してその厚さ内に納まる大きさで形成され、切欠部１２１の屋外側内面１２１ａと中空部の屋外側内面とが仮想同一平面上となるように配置されるものであれば、どのような形態であってもよい。
【産業上の利用可能性】
【００３７】
本発明は、住宅等の建物の用いられる外壁パネルに好適に利用することができる。
【図面の簡単な説明】
【００３８】
【図１】本発明の外壁パネルの一例を一部拡大して示す断面図である。
【図２】本発明に係る外壁パネルの施工例を示す断面図である。
【図３】図２との比較例として従来の外壁パネルを示す断面図である。
【図４】従来の外壁パネルを示す断面図である。
【符号の説明】
【００３９】
１      外壁パネル
１０    パネル本体
１１    意匠層
１２    基材層
１２１  切欠部
１２２  中空部
２      軸組フレーム
３      ファスニング用フレーム
４      固定具
【図１】
0004678332.tif 000002
【図２】
0004678332.tif 000003
【図３】
0004678332.tif 000004
【図４】
0004678332.tif 000005